(57)【要約】【課題】密閉性に優れ、外部からの粉塵等の侵入を確実に防止するとともに、容易に開閉が可能な光学走査装置及びそれを備えた画像形成装置を提供する。【解決手段】ハウジング４８の側面には、ハウジング４８と上面カバー６０との隙間７０ａを覆う側面カバー６１ａが装着されている。側面カバー６１ａは係合部６３ａ、６３ｂの復元力によりハウジング４８及び上面カバー６０を上下から挟み込む構成であるため、ハウジング４８と上面カバー６０との密着性が確保されて隙間７０ａが生じにくくなり、粉塵等の流入を効果的に抑制可能となる。【選択図】図８
2010286682.tif 000002
【特許請求の範囲】
【請求項１】
光源部から射出されるビームにより被走査面上を偏向走査する走査光学系と、
該走査光学系を支持するハウジングと、
該ハウジングの上面若しくは下面に形成された開口部を覆う開閉可能な第１カバー部材と、
該第１カバー部材を介して前記ハウジングの側面を上下方向に挟み込んだ状態で着脱可能に装着される第２カバー部材と、
を有する光学走査装置。
【請求項２】
前記第２カバー部材は、弾性変形により前記ハウジングに対し着脱されることを特徴とする請求項１に記載の光学走査装置。
【請求項３】
前記第１カバー部材は前記ハウジングの側面を外側から覆うフランジ部を有し、前記第２カバー部材は前記フランジ部と前記ハウジングの上面若しくは下面とに係合する係合部を有することを特徴とする請求項１又は請求項２に記載の光学走査装置。
【請求項４】
前記係合部に、前記第２カバー部材の前記ハウジングの側面から離間する方向への摺動を規制する係止爪を設けたことを特徴とする請求項３に記載の光学走査装置。
【請求項５】
請求項１乃至請求項４のいずれかに記載の光学走査装置が搭載された画像形成装置。
【発明の詳細な説明】
【技術分野】
【０００１】
本発明は、プリンタ、複写機、及びファクシミリ等の画像形成装置に用いられる、ビーム光を走査して画像を書き込み形成する光学走査装置、及びそれを備えた画像形成装置に関するものである。
【背景技術】
【０００２】
従来、複写機やプリンタ等の電子写真方式を用いる画像形成装置では、帯電装置によって均一に帯電された感光体ドラムの表面に、入力された画像データに基づいて変調したビーム光を走査させる光学走査装置を備えており、この光学走査装置によって形成された静電潜像が現像装置によってトナー像に現像され、さらにトナー像を記録紙等に転写し、定着装置により永久像とする画像形成プロセスが行われる。
【０００３】
ところで、電子写真プロセスを用いた画像形成装置の内部では、静電潜像の現像に用いるトナーや用紙の搬送に伴い発生する紙粉、画像形成装置外部から侵入してくる粉塵等が飛散、浮遊している。これらの粉塵が光学走査装置内に侵入してレンズ、ミラーなどの光学素子及び光学部材に付着すると走査光の光路が一部遮断され、画像品質が低下する原因となる。このため、光学走査装置の密閉性を高め、外部からの粉塵の侵入を防ぐ方策が種々考案されてきた。
【０００４】
例えば、特許文献１には、光学箱（ハウジング）の開口部を覆う蓋部材の一部又は全面に粘着剤を塗布し、蓋部材を光学箱に貼り付けて光学箱を密閉することにより、外部からの粉塵等の侵入を防止する方法が開示されている。また、特許文献２には、光学箱に形成された仕切壁或いは光学箱内の部品とカバー部材との間に弾性部材を設けることにより塵埃の進入を防止した光走査装置が開示されている。
【先行技術文献】
【特許文献】
【０００５】
【特許文献１】特開２００２−３４１２７５号公報
【特許文献２】特開２００５−３０９０８５号公報
【発明の概要】
【発明が解決しようとする課題】
【０００６】
しかしながら、特許文献１の方法では、光学走査装置の密閉性を確保することはできるものの、一旦蓋部材を貼り合わせて光学箱を密閉してしまうと、装置内部の光学素子や光学部材等の交換や調整のために再度蓋部材を取り外すことが困難であり、無理に取り外した場合には光学箱に負荷が掛かり光学箱の変形や破損を生じるおそれもあった。
【０００７】
また、特許文献２の方法では、光学走査装置のレイアウト上、弾性部材を設けることができない場合があり、弾性部材としてスポンジ等を使用した場合はスポンジから発生する毛埃が光学部材に付着して画像に悪影響を及ぼすおそれもある。さらに、カバー部材に２重のリブを設け、ハウジングの壁面をリブで挟み込むようにして粉塵等の侵入を防止する方法も考えられるが、光学部材がハウジングの壁面の上端部直近まで取り付けられている場合はリブを設けるスペースの確保が困難であった。
【０００８】
本発明は、上記問題点に鑑み、密閉性に優れ、外部からの粉塵等の侵入を確実に防止するとともに、容易に開閉が可能な光学走査装置及びそれを備えた画像形成装置を提供することを目的とする。
【課題を解決するための手段】
【０００９】
上記目的を達成するために本発明は、光源部から射出されるビームにより被走査面上を偏向走査する走査光学系と、該走査光学系を支持するハウジングと、該ハウジングの上面若しくは下面に形成された開口部を覆う開閉可能な第１カバー部材と、該第１カバー部材を介して前記ハウジングの側面を上下方向に挟み込んだ状態で着脱可能に装着される第２カバー部材と、を有する光学走査装置である。
【００１０】
また本発明は、上記構成の光学走査装置において、前記第２カバー部材は、弾性変形により前記ハウジングに対し着脱されることを特徴としている。
【００１１】
また本発明は、上記構成の光学走査装置において、前記第１カバー部材は前記ハウジングの側面を外側から覆うフランジ部を有し、前記第２カバー部材は前記フランジ部と前記ハウジングの上面若しくは下面とに係合する係合部を有することを特徴としている。
【００１２】
また本発明は、上記構成の光学走査装置において、前記係合部に、前記第２カバー部材の前記ハウジングの側面から離間する方向への摺動を規制する係止爪を設けたことを特徴としている。
【００１３】
また本発明は、上記構成の光学走査装置が搭載された画像形成装置である。
【発明の効果】
【００１４】
本発明の第１の構成によれば、第１カバー部材を介して前記ハウジングの側面を上下方向に挟み込んだ状態で装着される第２カバー部材を設けることにより、ハウジングと第１カバー部材との隙間からの光学走査装置内への粉塵等の進入を抑制することができる。また、第２カバー部材を着脱可能としたので、第１カバー部材の開閉性も確保できる。
【００１５】
また、本発明の第２の構成によれば、上記第１の構成の光学走査装置において、第２カバー部材の弾性変形によって第２カバー部材を着脱することにより、ハウジングと第１カバー部材との密着性が確保されて隙間が生じにくくなり、粉塵等の進入をより効果的に抑制可能となる。
【００１６】
また、本発明の第３の構成によれば、上記第１又は第２の構成の光学走査装置において、第１カバー部材にハウジングの側面を外側から覆うフランジ部を設け、第２カバー部材に設けられた係合部をフランジ部とハウジングの上面若しくは下面とに係合させることにより、第２カバー部材を第１カバー部材を介してハウジングの側面を上下方向に挟み込んだ状態で容易に装着することができる。また、係合部の係合を解除するだけで第２カバー部材及び第１カバー部材を容易に取り外すことができる。
【００１７】
また、本発明の第４の構成によれば、上記第３の構成の光学走査装置において、第２カバー部材の係合部に、ハウジングの側面から離間する方向への摺動を規制する係止爪を設けることにより、ビス等を用いることなく振動や衝撃による第２カバー部材の離脱を防止できるため、第１カバー部材の浮き上がりを防止するとともに光学走査装置の強度も高めることができる。
【００１８】
また、本発明の第５の構成によれば、上記第１乃至第４のいずれかの構成の光学走査装置を複写機やプリンタ等の画像形成装置に搭載することにより、光学走査装置内のレンズ、ミラー等の光学素子及び光学部材への粉塵の付着に起因する画質低下の発生し難い画像形成装置となる。
【図面の簡単な説明】
【００１９】
【図１】本発明の光学走査装置が搭載されたタンデム型カラー画像形成装置の全体構成を示す概略図
【図２】本発明の光学走査装置の内部構造を示す平面図
【図３】本発明の光学走査装置の内部構造を示す側面断面図
【図４】本発明の光学走査装置の外観斜視図
【図５】側面カバーを裏面側から見た斜視図
【図６】ハウジングに上面カバーのみを装着した状態を示す部分断面図
【図７】ハウジングに上面カバー及び側面カバーを装着した状態を示す部分断面図
【図８】側面カバーとハウジング及び上面カバーとの係合状態を示す部分断面図
【図９】図８における係合部の拡大図
【図１０】ハウジングの左右側面における上面カバーとの接合状態を示す部分断面図
【発明を実施するための形態】
【００２０】
以下、図面を参照しながら本発明の実施形態について説明する。図１は、本発明の光学走査装置が搭載された画像形成装置の概略断面図であり、ここではタンデム方式のカラー画像形成装置について示している。カラー画像形成装置１００本体内には４つの画像形成部Ｐａ、Ｐｂ、Ｐｃ及びＰｄが、搬送方向上流側（図１では右側）から順に配設されている。これらの画像形成部Ｐａ〜Ｐｄは、異なる４色（シアン、マゼンタ、イエロー及びブラック）の画像に対応して設けられており、それぞれ帯電、露光、現像及び転写の各工程によりシアン、マゼンタ、イエロー及びブラックの画像を順次形成する。
【００２１】
この画像形成部Ｐａ〜Ｐｄには、各色の可視像（トナー像）を担持する感光体ドラム１ａ、１ｂ、１ｃ及び１ｄが配設されており、さらに駆動手段（図示せず）により図１において時計回りに回転する中間転写ベルト８が各画像形成部Ｐａ〜Ｐｄに隣接して設けられている。これらの感光体ドラム１ａ〜１ｄ上に形成されたトナー像が、各感光体ドラム１ａ〜１ｄに当接しながら移動する中間転写ベルト８上に順次転写された後、二次転写ローラ９において転写紙Ｐ上に一度に転写され、さらに、定着部７において転写紙Ｐ上に定着された後、装置本体より排出される。感光体ドラム１ａ〜１ｄを図１において反時計回りに回転させながら、各感光体ドラム１ａ〜１ｄに対する画像形成プロセスが実行される。
【００２２】
トナー像が転写される転写紙Ｐは、装置下部の用紙カセット１６内に収容されており、給紙ローラ１２ａ及びレジストローラ対１２ｂを介して二次転写ローラ９へと搬送される。中間転写ベルト８には誘電体樹脂製のシートが用いられ、その両端部を互いに重ね合わせて接合しエンドレス形状にしたベルトや、継ぎ目を有しない（シームレス）ベルトが用いられる。
【００２３】
次に、画像形成部Ｐａ〜Ｐｄについて説明する。回転自在に配設された各感光体ドラム１ａ〜１ｄの周囲及び下方には、感光体ドラム１ａ〜１ｄを帯電させる帯電器２ａ、２ｂ、２ｃ及び２ｄと、感光体ドラム１ａ〜１ｄに画像情報を露光する光学走査装置４と、感光体ドラム１ａ〜１ｄ上にトナー像を形成する現像ユニット３ａ、３ｂ、３ｃ及び３ｄと、感光体ドラム１ａ〜１ｄ上に残留した現像剤（トナー）を除去するクリーニング部５ａ、５ｂ、５ｃ及び５ｄが設けられている。
【００２４】
ユーザにより画像形成開始が入力されると、先ず、帯電器２ａ〜２ｄによって感光体ドラム１ａ〜１ｄの表面を一様に帯電させ、次いで光学走査装置４によってレーザ光を照射し、各感光体ドラム１ａ〜１ｄ上に画像信号に応じた静電潜像を形成する。現像ユニット３ａ〜３ｄには、それぞれシアン、マゼンタ、イエロー及びブラックの各色のトナーが補給装置（図示せず）によって所定量充填されている。このトナーは、現像ユニット３ａ〜３ｄにより感光体ドラム１ａ〜１ｄ上に供給され、静電的に付着することにより、光学走査装置４からの露光により形成された静電潜像に応じたトナー像が形成される。
【００２５】
そして、中間転写ベルト８に所定の転写電圧で電界が付与された後、一次転写ローラ６ａ〜６ｄにより感光体ドラム１ａ〜１ｄ上のシアン、マゼンタ、イエロー、及びブラックのトナー像が中間転写ベルト８上に転写される。これらの４色の画像は、所定のフルカラー画像形成のために予め定められた所定の位置関係をもって形成される。その後、引き続き行われる新たな静電潜像の形成に備え、感光体ドラム１ａ〜１ｄの表面に残留したトナーがクリーニング部５ａ〜５ｄにより除去される。
【００２６】
中間転写ベルト８は、上流側の搬送ローラ１０と、下流側の駆動ローラ１１とに掛け渡されており、駆動モータ（図示せず）による駆動ローラ１１の回転に伴い中間転写ベルト８が時計回りに回転を開始すると、転写紙Ｐがレジストローラ対１２ｂから所定のタイミングで中間転写ベルト８に隣接して設けられた転写ローラ９へ搬送され、フルカラー画像が転写される。トナー像が転写された転写紙Ｐは定着部７へと搬送される。
【００２７】
定着部７に搬送された転写紙Ｐは、定着ローラ対１３により加熱及び加圧されてトナー像が転写紙Ｐの表面に定着され、所定のフルカラー画像が形成される。フルカラー画像が形成された転写紙Ｐは、複数方向に分岐した分岐部１４によって搬送方向が振り分けられる。転写紙Ｐの片面のみに画像を形成する場合は、そのまま排出ローラ対１５によって排出トレイ１７に排出される。
【００２８】
一方、転写紙Ｐの両面に画像を形成する場合は、定着部７を通過した転写紙Ｐは分岐部１４で用紙搬送路１８に振り分けられ、画像面を反転させた状態で転写ローラ９に再搬送される。そして、中間転写ベルト８上に形成された次の画像が転写ローラ９により転写紙Ｐの画像が形成されていない面に転写され、定着部７に搬送されてトナー像が定着された後、排出トレイ１７に排出される。
【００２９】
図２は、本発明の光学走査装置の内部構成を示す平面図、図３は、光学走査装置の内部構成を示す側面断面図（図２のＡＡ′断面）である。なお、図２においては平面ミラー４６ａ〜４６ｄの記載を省略している。図２及び図３に示すように、光学走査装置４はハウジング４８を有しており、ハウジング４８の底面４８ａの略中央部にはポリゴンミラー４４が配置されている。本実施形態では、ポリゴンミラー４４は側面に６つの偏向面（反射面）４４ａを有する正六角形の回転多面鏡から成り、ポリゴンモータ５０により所定の速度で回転する。
【００３０】
また、ハウジング４８の前面側（図２の下側）端部近傍には４つの光源部４０ａ〜４０ｄが配置されている。なお、図２では一つに記載しているが、光源部４０ａと４０ｂ、及び４０ｃと４０ｄは副走査方向（紙面方向）に重なっている。光源部４０ａ〜４０ｄはＬＤ（レーザダイオード）で構成され、画像信号に基づき光変調したビーム光（レーザ光）Ｄ１〜Ｄ４を射出する。
【００３１】
光源部４０ａ〜４０ｄとポリゴンミラー４４との間には、各光源部４０ａ〜４０ｄに対応して設けられた４つのコリメータレンズ４１と、コリメータレンズ４１を通過したビーム光Ｄ１〜Ｄ４を所定のビーム幅とするアパーチャ５１と、アパーチャ５１を通過した後、ビーム光Ｄ１及びＤ２、Ｄ３及びＤ４がそれぞれ通過する２つのシリンドリカルレンズ４２と、シリンドリカルレンズ４２を通過したビーム光Ｄ１〜Ｄ４をポリゴンミラー４４の偏向面４４ａに導く２枚の折り返しミラー４３が配置されている。なお、図２では一つに記載しているが、光源部４０ａと４０ｂ、及び４０ｃと４０ｄに対応するコリメータレンズ４１、アパーチャ５１はそれぞれ副走査方向に重なっている。
【００３２】
コリメータレンズ４１は光源部４０ａ〜４０ｄから射出したビーム光Ｄ１〜Ｄ４を略平行光束にするものであり、シリンドリカルレンズ４２は副走査方向（図３の上下方向）にのみ所定の屈折力を有するものである。また、ハウジング４８内には第１走査レンズ４５ａと４５ｂ、及び第２走査レンズ４７ａ、４７ｂと４７ｃ、４７ｄとがポリゴンミラー４４を挟んでそれぞれ対向配置されている。第１走査レンズ４５ａ、４５ｂ及び第２走査レンズ４７ａ〜４７ｄはｆθ特性を有しており、ポリゴンミラー４４によって偏向反射されたビーム光Ｄ１〜Ｄ４を感光体ドラム１ａ〜１ｄ（図１参照）上に結像させる。また、ポリゴンミラー４４から感光体ドラム１ａ〜１ｄ（図１参照）までの各ビーム光Ｄ１〜Ｄ４の光路上には平面ミラー４６ａ〜４６ｃが配置されている。
【００３３】
上記のように構成された光学走査装置４によるビーム光Ｄ１、Ｄ２の走査動作について説明する。まず、光源部４０ａ、４０ｂから射出されたビーム光Ｄ１、Ｄ２は、コリメータレンズ４１によって略平行光束とされ、アパーチャ５１によって所定の光路幅とされる。次に、略平行光束となったビーム光Ｄ１、Ｄ２をシリンドリカルレンズ４２に入射させる。シリンドリカルレンズ４２に入射したビーム光Ｄ１、Ｄ２は、主走査断面においてはそのまま平行光束の状態で、副走査方向においては収束して射出され、ポリゴンミラー４４の偏向面４４ａに線像として結像する。このとき、ポリゴンミラー４４によって偏向された２つのビーム光Ｄ１、Ｄ２の光路分離を容易にするために、これらのビーム光Ｄ１、Ｄ２は偏向面４４ａに対して副走査方向にそれぞれ異なる角度で入射するように構成されている。
【００３４】
ポリゴンミラー４４に入射されたビーム光Ｄ１、Ｄ２は、ポリゴンミラー４４によって等角速度偏向された後、第１走査レンズ４５ａによって等速度偏向される。第１走査レンズ４５ａを通過したビーム光Ｄ１、Ｄ２は、それぞれの光路に配置された平面ミラー４６ａ、４６ｂによって所定回数折り返され、ビーム光Ｄ１は第２走査レンズ４７ａに、ビーム光Ｄ２は第２走査レンズ４７ｂにそれぞれ入射し、第２走査レンズ４７ａ、４７ｂによって等速度偏向される。そして、等速度偏向されたビーム光Ｄ１、Ｄ２は、それぞれの光路に配置された最終の平面ミラー４７ｃによって折り返され、ハウジング４８の開口部を覆う上面カバー６０に形成された窓部６０ａ、６０ｂを通過して感光体ドラム１ａ、１ｂへ配光される。
【００３５】
光源部４０ｃ、４０ｄから射出されたビーム光Ｄ３、Ｄ４も同様にして、コリメータレンズ４１及びシリンドリカルレンズ４２ｂを通過した後、ポリゴンミラー４４で等角度偏向され、第１走査レンズ４５ｂによって等速度偏向される。そして、平面ミラー４６ａ、４６ｂによって折り返された後、ビーム光Ｄ３は第２走査レンズ４７ｃに、ビーム光Ｄ４は第２走査レンズ４７ｄによってそれぞれ等速度偏向される。さらに、最終の平面ミラー４６ｃによって折り返され、上面カバー６０に形成れた窓部６０ｃ、６０ｄから感光体ドラム１ｃ、１ｄへ配光される。
【００３６】
図４は、本発明の光学走査装置の外観斜視図である。上面カバー６０に形成された４箇所の窓部６０ａ〜６０ｄには粉塵等の進入を防止するための透明平板が嵌め込まれている。また、ハウジング４８の前側面及び後側面には側面カバー６１ａ、６１ｂが取り付けられている。
【００３７】
図５は、側面カバー６１ａを裏面側から見た斜視図である。側面カバー６１ａの上端部の４箇所には係合部６３ａが、下端部の４箇所には係合部６３ｂがそれぞれ一体形成されている。また、中央部にはハウジング４８の側面に形成された位置決め穴（図示せず）に嵌合するボス６５が突設されている。以下、側面カバー６１ａのハウジング４８への装着方法及び装着状態について説明するが、側面カバー６１ｂの構成、ハウジング４８への装着方法及び装着状態についても基本的には同様であるため説明を省略する。
【００３８】
側面カバー６１ａの装着手順としては、ハウジング４８の開口部を上面カバー６０で閉じた後、ボス６５をハウジング４８側面の位置決め穴に合わせた状態で側面カバー６１ａをハウジング４８に押し付ける。そして、側面カバー６１ａの係合部６３ａを弾性変形させて上面カバー６０の端縁に形成されたフランジ部６８（図８参照）に係合させ、係合部６３ｂを弾性変形させてハウジング４８底面に係合させる。
【００３９】
図６は、ハウジングに上面カバーのみを装着した状態を示す部分断面図であり、図７は、ハウジングに上面カバー及び側面カバーを装着した状態を示す部分断面図である。図６に示すように、平面ミラー４６ｃやミラー調製部材６７等の部品がハウジング４８の側面直近まで取り付けられているため、粉塵対策として上面カバー６０に２重のリブ７３ａ、７３ｂ（図１０参照）や弾性部材を設けるスペースがなく、上面カバー６０を取り付けただけでは粉塵等がハウジング４８と上面カバー６０との隙間７０ａを通過して装置内部に流入し易い。
【００４０】
そこで、本発明では図７に示すように、ハウジング４８と上面カバー６０との隙間７０ａを覆う側面カバー６１ａが装着されている。この構成により、粉塵等が装置内部に進入するためには、上面カバー６０と側面カバー６１ａとの隙間７０ｂを通過し、さらにハウジング４８と上面カバー６０との隙間７０ａを通過する必要がある。従って、上面カバー６０のみを取り付けた場合に比べて粉塵が流入し難い構造となる。
【００４１】
図８は、ハウジングに上面カバー及び側面カバーを取り付けた状態における係合部６３ａを含む部分断面図であり、図９は、図８における係合部６３ａの係合状態を示す拡大図である。図８に示すように、側面カバー６１ａは係合部６３ａ、６３ｂ（図５参照）の復元力によりハウジング４８及び上面カバー６０を上下から挟み込む構成であるため、上面カバー６０を閉状態で保持することができる。また、ハウジング４８と上面カバー６０との密着性が確保されて隙間７０ａが生じにくくなり、粉塵等の流入を効果的に抑制可能となる。
【００４２】
また、図９に示すように、係合部６３ａの先端には係止爪７１が形成されており、フランジ部６８に突設された突起６９に係合する。なお、同様の係止爪７１が係合部６３ｂにも形成されており、ハウジング４８の底面に形成された係合穴に係合する。この構成により、側面カバー６１ａがハウジング４８から離間する方向（矢印Ｂ方向）への摺動が規制されるため、ビス等を用いることなく振動や衝撃による側面カバー６１ａの脱落や上面カバー６０の浮き上がりを防止するとともに光学走査装置４の強度を高めることができる。
【００４３】
さらに、側面カバー６１ａは係合部６３ａ、６３ｂの係合を解除するだけで容易に取り外し可能となっているため、ハウジング４８内部の光学素子や光学部材等の調整や交換の際には上面カバー６０を容易に開閉することができる。
【００４４】
なお、本実施形態ではハウジング４８の前側面及び後側面（図２の上下側面）の２箇所のみに側面カバー６１ａ、６１ｂが装着されており、ハウジング４８の右側面及び左側面（図２の左右側面）においては、図１０に示すように上面カバー６０の端縁に２重のリブ７３ａ、７３ｂを設けてハウジング４８の側面を挟み込む構成としている。
【００４５】
しかし、例えばハウジング４８の後側面にも２重のリブを設けるスペースがある場合は、前側面のみに側面カバー６１ａを装着しても良い。また、ハウジング４８の右側面及び左側面に２重のリブを設けるスペースがない場合は、ハウジング４８の４つの側面全てに側面カバーを装着すれば良い。
【００４６】
その他本発明は、上記実施形態に限定されず、本発明の趣旨を逸脱しない範囲で種々の変更が可能である。例えば、上記実施形態において示した光学走査装置４は、ハウジング４８の上面からビーム光Ｄ１〜Ｄ４を射出して上方の感光体ドラム１ａ〜１ｄを照射する構成であるが、感光体ドラム１ａ〜１ｄが光学走査装置４の下方に配置されており、ハウジング４８の下面からビーム光Ｄ１〜Ｄ４を射出する構成であっても良い。そして、上面カバー６０に代えて下面カバーが取り外し可能となっている場合についても全く同様に適用できる。
【００４７】
また、上記実施形態において示した光学走査装置４は、ハウジング４８の略中央にポリゴンミラー４４を配置し、ビーム光Ｄ１及びＤ２、Ｄ３及びＤ４をそれぞれ反対方向に偏向する方式であるが、ハウジング４８の一端にポリゴンミラー４４を配置し、ビーム光Ｄ１〜Ｄ４を同方向に偏向しながら副走査方向に分離する方式としても良い。
【００４８】
また、本発明はマルチビーム方式の光学走査装置に限らず、モノクロ複写機やモノクロプリンタに搭載されるシングルビーム方式の光学走査装置にも全く同様に適用することができる。
【産業上の利用可能性】
【００４９】
本発明は、プリンタ、複写機、及びファクシミリ等の画像形成装置に用いられる、ビーム光を走査して画像を書き込み形成する光学走査装置に利用可能である。
【符号の説明】
【００５０】
４              光学走査装置
４０ａ〜４０ｄ  光源部
４１            コリメータレンズ
４２            シリンドリカルレンズ
４４            ポリゴンミラー
４５ａ、４５ｂ  第１走査レンズ
４６ａ〜４６ｃ  平面ミラー
４７ａ〜４７ｄ  第２走査レンズ
４８            ハウジング
６０            上面カバー（第１カバー部材）
６１ａ、６１ｂ  側面カバー（第２カバー部材）
６３ａ、６３ｂ  係合部
６８            フランジ部
６９            突起
７０ａ、７０ｂ  隙間
７１            係止爪
７３ａ、７３ｂ  リブ
１００          画像形成装置
Ｄ１〜Ｄ４      ビーム光
【図１】
2010286682.tif 000003
【図２】
2010286682.tif 000004
【図３】
2010286682.tif 000005
【図４】
2010286682.tif 000006
【図５】
2010286682.tif 000007
【図６】
2010286682.tif 000008
【図７】
2010286682.tif 000009
【図８】
2010286682.tif 000010
【図９】
2010286682.tif 000011
【図１０】
2010286682.tif 000012